(57)【要約】【課題】円筒形状のシール面の正面画像および左右画像を同時に撮影することのできる携帯撮影装置を得る。【解決手段】携帯端末本体と、携帯端末本体の一端に設けられたカメラ部１００と、携帯端末本体の側面に設けられた表示部と、携帯端末本体の側面に設けられた操作部とを備えている。カメラ部１００は、円筒部材上のシール面を左右から挟み込むように配置される左側面直角プリズム１０１ａおよび右側面直角プリズム１０１ｂと、シール面からの入力光と複数の側面部投影プリズムからの入力光とを集光する凸レンズ１０３と、凸レンズ１０３を介して集光された入力光が結像される撮像素子１０４とを含み、シール面の正面画像と、複数の側面部投影プリズムを介したシール面の左右画像とを同時に撮影する。【選択図】図６
2008271106.tif 000002
【特許請求の範囲】
【請求項１】
円筒部材に貼り付けられたシール面の文字を撮影し、画像処理によって前記文字を読取るための携帯撮影装置であって、
携帯端末本体と、
前記携帯端末本体の一端に設けられた撮影部と、
前記携帯端末本体の側面に設けられた表示部と、
前記携帯端末本体の側面に設けられた操作部とを備え、
前記撮影部は、
前記円筒部材上の前記シール面を左右から挟み込むように配置される複数の側面部投影プリズムと、
前記シール面からの入力光と前記複数の側面部投影プリズムからの入力光とを集光する凸レンズと、
前記凸レンズを介して集光された入力光が結像される撮像素子とを含み、
前記シール面の正面画像と前記複数の側面部投影プリズムを介した前記シール面の左右画像とを同時に撮影することを特徴とする携帯撮影装置。
【請求項２】
前記複数の側面部投影プリズムは、
前記シール面の左側面に配置される左側面直角プリズムと、
前記シール面の右側面に配置される右側面直角プリズムと
により構成されたことを特徴とする請求項１に記載の携帯撮影装置。
【請求項３】
前記シール面は、自転車の円柱部材に貼り付けられた防犯登録ステッカのシール面であることを特徴とする請求項１または請求項２に記載の携帯撮影装置。
【請求項４】
前記シール面の正面および左右面に対して均一光量を照射するための照明部を備え、
前記照明部は、
前記シール面の左側面に配置される左反射鏡と、
前記シール面の右側面に配置される右反射鏡と、
前記左反射鏡の一端部に対向配置された左光源と、
前記右反射鏡の一端部に対向配置された右光源と、
前記左反射鏡および前記左光源を収納支持する左ケースと、
前記右反射鏡および前記右光源を収納支持する右ケースとを含み、
前記左反射鏡および前記右反射鏡は、前記撮影部を包囲する半球形状を有することを特徴とする請求項１から請求項３までのいずれか１項に記載の携帯撮影装置。
【請求項５】
前記左ケースおよび前記右ケースは、
前記携帯端末本体との接続部に設けられたヒンジ部を有し、
前記ヒンジ部を中心として、左右に開閉自在に構成されたことを特徴とする請求項４に記載の携帯撮影装置。
【発明の詳細な説明】
【技術分野】
【０００１】
この発明は、盗難や不法投棄された自転車の実写真撮影、所有者確認、発見連絡，通報情報保有が可能な携帯撮影装置に関するものである。
【背景技術】
【０００２】
従来から、放置された自転車などの捜索を行うために、タグを読取るシステムが検討されており、バーコードやＩＣチップから自転車情報を読取る装置が提案されている（たとえば、特許文献１、特許文献２参照）。
【０００３】
【特許文献１】特開２００３―２５６９６０号公報
【特許文献２】特開２００５―２３５１３３号公報
【発明の開示】
【発明が解決しようとする課題】
【０００４】
従来の携帯撮影装置では、バーコードやＩＣチップなど、別に読取り用のタグを準備する必要があるうえ、該当自転車の特徴などを判断する情報（画像情報）と所有者情報とを紐付けするために、別の撮影装置を準備する必要があるという課題があった。
また、新たにバーコードやＩＣタグを導入することによって、ユーザ側に金銭的な負担が発生するという課題があった。
【０００５】
一方、既存の防犯登録ステッカをそのまま利用して画像として撮影することも考えられるが、画像処理によって文字認識したデータを保管できる撮影装置が不可欠となるうえ、防犯登録ステッカを撮影して文字認識するためには、自転車の円柱部材に円筒形に防犯登録ステッカが貼り付けられていることから、複数回撮影して画像を合成する必要があるという課題があった。
【０００６】
この発明は、円筒部材に貼り付けられたシール面の文字を１回で撮影可能な携帯撮影装置を得ることを目的とする。
【課題を解決するための手段】
【０００７】
この発明による携帯撮影装置は、円筒部材に貼り付けられたシール面の文字を撮影し、画像処理によって文字を読取るための携帯撮影装置であって、携帯端末本体と、携帯端末本体の一端に設けられた撮影部と、携帯端末本体の側面に設けられた表示部と、携帯端末本体の側面に設けられた操作部とを備え、撮影部は、円筒部材上のシール面を左右から挟み込むように配置される複数の側面部投影プリズムと、シール面からの入力光と複数の側面部投影プリズムからの入力光とを集光する凸レンズと、凸レンズを介して集光された入力光が結像される撮像素子とを含み、シール面の正面画像と複数の側面部投影プリズムを介したシール面の左右画像とを同時に撮影するものである。
【発明の効果】
【０００８】
この発明によれば、複数の側面部投影プリズムを有する撮影部（カメラ部）を用いることにより、円筒部材に貼り付けられたシール面の文字を１回で撮影することができる。
【発明を実施するための最良の形態】
【０００９】
実施の形態１．
図１はこの発明の実施の形態１に係る携帯撮影装置の全体構成を示す斜視図である。
また、図２は図１に示した携帯撮影装置で撮影される被写体（自転車）を示す側面図であり、図３〜図５は図２内の自転車に貼り付けられた防犯登録ステッカの実際の見え方を示す説明図である。
【００１０】
図１において、携帯撮影装置は、携帯に適した直方体の携帯端末本体１と、携帯端末本体１の側面に設けられた操作部２および表示部３と、携帯端末本体１の先端部に設けられた撮影部１０とにより構成されている。
【００１１】
図１のように構成された携帯撮影装置を用いて写真撮影をする場合には、携帯端末本体１を支持しながら撮影部１０を被写体に向けると、表示部３に動画として被写体が表示されるので、最適な表示状態において操作部２を操作して撮影を完了する。図１においては、防犯登録ステッカが撮影されて表示部３に表示された例を示している。
【００１２】
次に、図２〜図５を参照しながら、自転車に貼り付けられた防犯登録ステッカの実際の見え方について説明する。
図２において、被写体となる自転車４の構造体のうち、たとえば、上面から見やすい円柱部材５に、防犯登録ステッカ６が貼り付けられている。
【００１３】
防犯登録ステッカ６は、円柱部材５の上面から見ると、視線の角度（視野）に応じて、図３〜図５のように見え方が異なる。図３は視野が防犯登録ステッカ６の右側に偏向した場合を示し、図４は視野が防犯登録ステッカ６の中心部に位置した場合を示し、図５は視野が防犯登録ステッカ６の左側に偏向した場合を示す。
【００１４】
図３〜図５において、各矢印６ａ、６ｂ、６ｃは、円柱部材５の湾曲部によって見えにくくなる範囲を示している。
図３においては、防犯登録ステッカ６の左側曲面部の範囲６ａが正面からみえにくくなり、図５においては、防犯登録ステッカ６の右側曲面部の範囲６ｃが正面からみえにくくなる。一方、図４においては、防犯登録ステッカ６の左右の側面部が湾曲して見えることになる。
【００１５】
図３〜図５のような状態で、一般のカメラを用いて防犯登録ステッカ６のシール面を撮影すると、たとえ防犯登録ステッカ６の正面から撮影したとしても、左右の側面部が歪むので、画像処理によって文字を読取ることが困難になる。
【００１６】
そこで、携帯撮影装置の撮影部１０を図６のように構成する。図６は撮影部１０に設けられたカメラ部１００の構成を拡大して示す断面図であり、自転車４の円柱部材５に貼り付けられた防犯登録ステッカ６と関連付けて示している。
図６において、撮影部１０のカメラ部１００は、左側面直角プリズム１０１ａと、右側面直角プリズム１０１ｂと、光路長穂補正ガラス１０２と、凸レンズ１０３と、撮像素子１０４とを備えている。なお、各破線矢印は、防犯登録ステッカ６から撮像素子１０４までの光路を示している。
【００１７】
左側面直角プリズム１０１ａおよび右側面直角プリズム１０１ｂは、円柱部材５を左右から挟み込んでおり、左側面直角プリズム１０１ａは円柱部材５の左側面部を直角方向に投影し、右側面直角プリズム１０１ｂは円柱部材５の右側面部を直角方向に投影する。
光路長補正ガラス１０２は、左側面直角プリズム１０１ａおよび右側面直角プリズム１０１ｂを支持するとともに、防犯登録ステッカ６と凸レンズ１０３との間に介在されており、近赤外領域の光の収差を軽減する。
【００１８】
凸レンズ１０３は、防犯登録ステッカ６から左側面直角プリズム１０１ａ、右側面直角プリズム１０１ｂおよび光路長補正ガラス１０２を介して入光される光と、防犯登録ステッカ６の正面から光路長補正ガラス１０２を介して入力される光とを集光して、撮像素子１０４に結像する。このとき、各破線矢印で示すように、防犯登録ステッカ６のすべての面からの光が、均一に撮像素子１０４に結像される。
【００１９】
撮像素子１０４は、凸レンズ１０３により結像された光を映像信号へ変換して、画像処理回路など（図示せず）に出力する。また、画像処理された映像は、携帯端末本体１の表示部３に出力されるとともに、操作部２の操作タイミングで記憶部に保存され、さらに必要に応じて印刷出力される。
【００２０】
以上のように、この発明の実施の形態１に係る携帯撮影装置の撮影部１０（カメラ部１００）は、左側面直角プリズム１０１ａおよび右側面直角プリズム１０１ｂと、光路長補正ガラス１０２と、凸レンズ１０３と、撮像素子１０４とを備え、防犯登録ステッカ６の正面画像のみならず左右画像を同時に撮像するので、既存の防犯登録ステッカ６の文字を１回で撮影して、１枚の撮影画像から記載文字を確実に読取ることができる。
この結果、盗難や不法投棄された自転車の実写真撮影、所有者確認、発見連絡，通報情報保有を効果的に行うことのできる携帯撮影装置を得ることができる。
【００２１】
実施の形態２．
なお、上記実施の形態１（図６）では、夜間撮影について考慮しなかったが、図７および図８に示す開閉自在な照明部２００を、図９のようにカメラ部１００と組み合わせることにより、夜間でも撮影ができるように構成してもよい。
図７および図８はこの発明の実施の形態２に用いられる照明部２００を示す側面図であり、図７は閉成状態を示し、図８は開放状態を示している。また、図９はカメラ部１００と照明部２００とを組み合わせた撮影状態を示す側面図である。
【００２２】
一般に、夜間に撮影するためには補助光が必要となるが、通常のフラッシュを用いて撮影しても、円柱部材５に局所的に貼り付けられた防犯登録ステッカ６に対して均一に光を照射することが困難である。
しかし、図７〜図９に示す照明部２００を用いることにより、夜間においても、円筒面の防犯登録ステッカ６に対して均一な照明光を照射して撮影することができる。
【００２３】
。
図７および図８において、照明部２００は、左反射鏡２０１ａおよび右反射鏡２０１ｂと、左光源２０２ａおよび右光源２０２ｂと、ヒンジ部２０３と、左ケース２０４ａおよび右ケース２０４ｂとを備えている。なお、各破線矢印は、左光源２０２ａおよび右光源２０２ｂから防犯登録ステッカ６までの照射光路を示している。
【００２４】
左反射鏡２０１ａおよび右反射鏡２０１ｂは、左右に開閉自在な１／４球形状を有し、図７のように閉成された状態では、一体的に組み合わされて半球体（ドーム）を構成する。また、半球体の反射鏡ドームは、半球体頭頂部から球体中心に向って垂直方向に防犯登録ステッカ６が貼り付けられている円柱部材５を覆うことができるように構成されている。
【００２５】
左光源２０２ａおよび右光源２０２ｂは、左反射鏡２０１ａおよび右反射鏡２０１ｂの各上端部に対向配置されるとともに、半球体の底面円周部に必要に応じて複数ずつ配置されている。これにより、ドーム型の反射光が防犯登録ステッカ６の全面に均一に照射されるように構成されている。
【００２６】
左ケース２０４ａおよび右ケース２０４ｂは、それぞれ、左反射鏡２０１ａおよび右反射鏡２０１ｂと、左光源２０２ａおよび右光源２０２ｂとを収納支持しており、携帯端末本体１との接続部に設けられたヒンジ部２０３を中心として、図７および図８に示すように、左右方向に開閉自在に構成されている。
【００２７】
図９は照明部２００をカメラ部１００に組み合わせて一体化した状態を示しており、円柱部材５上の防犯登録ステッカ６のシール面を撮影する状態を示している。
図９において、左ケース２０４ａおよび右ケース２０４ｂは、自転車４の円柱部材５の部分を左右から挟み込んで、左光源２０２ａおよび右光源２０２ｂから防犯登録ステッカ６への照射光量が常に均一になるように構成されている。
【００２８】
すなわち、左ケース２０４ａおよび右ケース２０４ｂ内において、半球体を形成する左反射鏡２０１ａおよび右反射鏡２０１ｂは、カメラ部１００の全体を包囲するように配置されるとともに、左反射鏡２０１ａは、防犯登録ステッカ６の左側面に配置され、左反射鏡２０１ａは、防犯登録ステッカ６の左側面に配置される。
【００２９】
以上のように、この発明の実施の形態２に係る携帯撮影装置は、カメラ部１００を覆うことのできるドーム形状の照明部２００を備えており、照明部２００は、左右に開閉自在な左反射鏡２０１ａおよび右反射鏡２０１ｂと、左光源２０２ａおよび右光源２０２ｂとを有する。
【００３０】
これにより、既存の防犯登録ステッカ６の文字をカメラ部１００で撮影するとともに、必要に応じて照明部２００の左光源２０２ａおよび右光源２０２ｂからの補助光を利用して、夜間においても鮮明な画像を撮影することができ、１枚の撮影画像から防犯登録ステッカ６上の記載文字を確実に読取ることができる。
また、左ケース２０４ａおよび右ケース２０４ｂは、ヒンジ部２０３を介して、左右に開閉自在に構成されているので、カメラ部１００の外周部に容易に配置させることができる。
【図面の簡単な説明】
【００３１】
【図１】この発明の実施の形態１に係る携帯撮影装置の全体構成を示す斜視図である。
【図２】図１の携帯撮影装置で撮影される被写体（自転車）を示す側面図である。
【図３】図２内の防犯登録ステッカの見え方を示す説明図である。
【図４】図２内の防犯登録ステッカの見え方を示す説明図である。
【図５】図２内の防犯登録ステッカの見え方を示す説明図である。
【図６】この発明の実施の形態１による撮影状態を示す説明図である。
【図７】この発明の実施の形態２による照明部を示す側面図である。
【図８】この発明の実施の形態２による照明部の開放状態を示す側面図である。
【図９】この発明の実施の形態２による撮影状態を示す説明図である。
【符号の説明】
【００３２】
１  携帯端末本体、２  操作部、３  表示部、４  自転車、５  円柱部材、６  防犯登録ステッカ、１０  撮影部、１００  カメラ部、１０１ａ  左側面直角プリズム、１０１ｂ  右側面直角プリズム、１０２  光路長穂補正ガラス、１０３  凸レンズ、１０４  撮像素子、２００  照明部、２０１ａ  左反射鏡、２０１ｂ  右反射鏡、２０２ａ  左光源、２０２ｂ  右光源、２０３  ヒンジ部、２０４ａ  左ケース、２０４ｂ  右ケース。
【図１】
2008271106.tif 000003
【図２】
2008271106.tif 000004
【図３】
2008271106.tif 000005
【図４】
2008271106.tif 000006
【図５】
2008271106.tif 000007
【図６】
2008271106.tif 000008
【図７】
2008271106.tif 000009
【図８】
2008271106.tif 000010
【図９】
2008271106.tif 000011